(57)【特許請求の範囲】
【請求項１】
メインシャフトが挿通した筒状の駆動軸筒に対して締結部材で回転不能に固定される円板部と前記円板部の後側に設けられる円筒部とを有するロータと、
前記ロータの前側に配置され、前記ロータの円板部及び円筒部を覆うスカート部を有し、前記メインシャフトにより前記ロータに対して前後動されるスプールと
を具備する魚釣用スピニングリールであって、
前記ロータには、前記ロータの円板部に対して固定部材で固定され、前記メインシャフトとの間の防水を図るためのシール部材が配設されたカバー部材が配設され、
前記カバー部材は、
前記締結部材が前記駆動軸筒に対して移動するのを規制するとともに前記締結部材と協働して前記シール部材を前記メインシャフトとの間に配置する規制部と、
前記規制部よりも径方向外方に延出され、前記ロータの円板部及び円筒部の縁部を覆う延出部と、
前記ロータの円板部よりも径方向外方に突出し釣糸が前記スプールのスカート部と前記ロータの円筒部との隙間から前記ロータの前方側に移動するのを防止する突出部と、
前記ロータの円板部に対して前記固定部材で固定するための固定部と
を有することを特徴とする魚釣用スピニングリール。
【請求項２】
前記延出部は、前記ロータの円板部の前面に対向するリブと、前記リブ同士を連結し前記ロータの円板部から離隔した離隔面とを有することを特徴とする請求項１に記載の魚釣用スピニングリール。
【請求項３】
前記ロータの円板部は、前記カバー部材の固定部に嵌合される嵌合部を有することを特徴とする請求項１もしくは請求項２に記載の魚釣用スピニングリール。
【請求項４】
前記カバー部材の比重は前記ロータの比重よりも小さいことを特徴とする請求項１ないし請求項３のいずれか１に記載の魚釣用スピニングリール。
【請求項５】
前記スプールのスカート部には、前記カバー部材の突出部を視認可能な窓部が形成されていることを特徴とする請求項１ないし請求項４のいずれか１に記載の魚釣用スピニングリール。
【請求項６】
前記カバー部材と前記ロータの円板部との間は、シール材でシールされていることを特徴とする請求項１ないし請求項５のいずれか１に記載の魚釣用スピニングリール。
【発明の詳細な説明】
【技術分野】
【０００１】
この発明は、魚釣用スピニングリールに関する。
【背景技術】
【０００２】
例えば特許文献１には魚釣用スピニングリールにおいて、ロータをメインシャフト（スプール軸）に固定するための締結部材（例えば、ナット）の緩みを防止する多角形孔と、ロータとスプールとの間に入った釣糸がメインシャフト（スプール軸）に絡むのを防止するリング部とを有する糸落ち防止リングをロータ本体の前面に設ける構造が知られている。  
一方、ロータとメインシャフト（スプール軸）との間の防水構造として特許文献２が知られている。
【先行技術文献】
【特許文献】
【０００３】
【特許文献１】実公平５−３０１４号公報
【特許文献２】特許第３９３４６６３号公報
【発明の概要】
【発明が解決しようとする課題】
【０００４】
しかしながら、特許文献１の技術ではナットが糸落ち防止リングの多角形孔から前方に飛び出した状態で固定されるので、特許文献１の技術に防水技術を有する特許文献２を採用する場合、ナットの前方をシールするシール材を押さえるために蓋部材を糸落ち防止リングにネジ留めする必要がある。  
このように引用文献１、２の構造を組み合わせる場合、糸落ち防止リングと蓋部材との両者をロータの前面に配置する必要があり、魚釣用スピニングリールに対する糸落ち防止リングの組込性が悪くなる（生産性が悪くなる）。また、糸落ち防止リングをロータの前面に固定するために２つのネジを配置する位置は中心軸に対して対向する位置であり、かつ、蓋部材をロータに配置するために１つのネジを配置する位置は他の任意の位置であるので、ロータの重量バランスに影響を与え、強度バランスにも問題が生じるおそれがある。
【０００５】
この発明は、このような課題を解決するためになされたものであり、ロータを駆動軸筒に締結する締結部材の締結状態を良好に維持でき、ロータとスプールとの間に釣糸が入ったときに釣糸のメインシャフトへの糸絡みを防止でき、かつ、ロータとメインシャフトとの間を防水できるとともに、そのような機能を発揮させる際の部品点数の削減による組込性の向上やコストダウンを図ることが可能な魚釣用スピニングリールを提供することを目的とする。
【課題を解決するための手段】
【０００６】
この発明に係る、メインシャフトが挿通した筒状の駆動軸筒に対して締結部材で回転不能に固定される円板部と前記円板部の後側に設けられる円筒部とを有するロータと、前記ロータの前側に配置され、前記ロータの円板部及び円筒部を覆うスカート部を有し、前記メインシャフトにより前記ロータに対して前後動されるスプールとを具備する魚釣用スピニングリールにあっては、前記ロータには、前記ロータの円板部に対して固定部材で固定され、前記メインシャフトとの間の防水を図るためのシール部材が配設されたカバー部材が配設され、前記カバー部材は、前記締結部材が前記駆動軸筒に対して移動するのを規制するとともに前記締結部材と協働して前記シール部材を前記メインシャフトとの間に配置する規制部と、前記規制部よりも径方向外方に延出され、前記ロータの円板部及び円筒部の縁部を覆う延出部と、前記ロータの円板部よりも径方向外方に突出し釣糸が前記スプールのスカート部と前記ロータの円筒部との隙間から前記ロータの前方側に移動するのを防止する突出部と、前記ロータの円板部に対して前記固定部材で固定するための固定部とを有することを特徴とする。
【０００７】
前記延出部は、前記ロータの円板部の前面に対向するリブと、前記リブ同士を連結し前記ロータの円板部から離隔した離隔面とを有することが好ましい。  
前記ロータの円板部は、前記カバー部材の固定部に嵌合される嵌合部を有することが好ましい。  
前記カバー部材の比重は前記ロータの比重よりも小さいことが好ましい。  
前記スプールのスカート部には、前記カバー部材の突出部を視認可能な窓部が形成されていることが好ましい。  
前記カバー部材と前記ロータの円板部との間は、シール材でシールされていることが好ましい。
【発明の効果】
【０００８】
カバー部材の固定部を固定部材でロータの円板部に固定した状態で、カバー部材の規制部により締結部材を嵌合した状態に維持できるので、締結部材の緩みを防止できる。また、締結部材及びカバー部材が協働してメインシャフトにシール部材を当接した状態を維持できるのでシール部材から後側の防水機能を良好に発揮できる。また、カバー部材の突出部をロータの円板部よりも径方向外方に突出させることによって、スプールのスカート部とロータとの間からメインシャフトに釣糸が到達して釣糸が絡むのを防止できる。
【０００９】
延出部にリブと離隔面とを有することにより、カバー部材とロータの円板部との間に空間を形成して軽量化を図ることができるとともに、断面二次モーメントを大きくできる。このため、カバー部材の軽量化と剛性及び強度の向上を両立できる。  
カバー部材とロータの円板部とを嵌合させることによって、固定部材を用いなくともロータに対してカバー部材が回転するのを防止できる。このため、カバー部材とロータの円板部とを固定部材に負荷がかからず、より小さく軽量の固定部材を使用できる。  
カバー部材の比重をロータの比重よりも小さいものを用いることにより、軽量化を図ることができる。  
スカート部に窓部を設けることにより、ロータとスプールとの間に釣糸が入ったときであっても、突出部に釣糸が当たった状態等を容易に視認することができる。  
カバー部材とロータの円板部との間をシール材でシールすることにより、ロータとカバー部材との間を防水できる。
【図面の簡単な説明】
【００１０】
【図１】第１から第３実施形態に係る魚釣用スピニングリールを示す概略的な部分断面図。
【図２】第１実施形態に係る魚釣用スピニングリールのロータに装着又は貫通される部品を示す概略的な分解斜視図。
【図３】第１実施形態に係る魚釣用スピニングリールのロータにフロントカバーを装着した状態を示す概略的な縦断面図であって、（Ａ）は図５（Ａ）中の３Ａ−３Ａ線に沿う縦断面図、（Ｂ）は図５（Ａ）中の３Ｂ−３Ｂ線に沿う縦断面図。
【図４】第１実施形態に係る魚釣用スピニングリールのロータにフロントカバーを装着した状態を示す概略的な縦断面図であって、図３（Ａ）に示す符号ＩＶで示す部位の拡大図。
【図５】第１実施形態に係る魚釣用スピニングリールのロータに装着されるフロントカバーのカバー部材を示し、（Ａ）は（Ｃ）中の矢印５Ａ方向から観察した状態を示す正面図、（Ｂ）は（Ｃ）中の矢印５Ｂ方向から観察した状態を示す底面図、（Ｃ）は（Ａ）中の５Ｃ−５Ｃ線に沿う断面図。
【図６】第１実施形態に係る魚釣用スピニングリールのロータに装着されるフロントカバーのカバー部材のうち、図５（Ａ）中のＶＩ−ＶＩ線に沿う断面図。
【図７】第２実施形態に係る魚釣用スピニングリールのロータに装着されるフロントカバーのカバー部材を示し、（Ａ）は（Ｃ）中の矢印７Ａ方向から観察した状態を示す正面図、（Ｂ）は（Ｃ）中の矢印７Ｂ方向から観察した状態を示す底面図、（Ｃ）は（Ａ）中の７Ｃ−７Ｃ線に沿う断面図。
【図８】第２実施形態に係る魚釣用スピニングリールのロータにフロントカバーを装着した状態を示す概略的な縦断面図であって、（Ａ）は図７（Ａ）中の８Ａ−８Ａ線に沿う縦断面図、（Ｂ）は図７（Ａ）中の８Ｂ−８Ｂ線に沿う縦断面図。
【図９】第２実施形態に係る魚釣用スピニングリールのロータに装着されるフロントカバーのカバー部材のうち、図７（Ａ）中のＩＸ−ＩＸ線に沿う断面図。
【図１０】第３実施形態に係る魚釣用スピニングリールのロータに装着されるフロントカバーのカバー部材を示し、（Ａ）は（Ｃ）中の矢印１０Ａ方向から観察した状態を示す正面図、（Ｂ）は（Ｃ）中の矢印１０Ｂ方向から観察した状態を示す底面図、（Ｃ）は（Ａ）中の１０Ｃ−１０Ｃ線に沿う断面図。
【図１１】第３実施形態に係る魚釣用スピニングリールのロータにフロントカバーを装着した状態を示す概略的な縦断面図であって、（Ａ）は図１０（Ａ）中の１１Ａ−１１Ａ線に沿う縦断面図、（Ｂ）は図１０（Ａ）中の１１Ｂ−１１Ｂ線に沿う縦断面図。
【図１２】第３実施形態に係る魚釣用スピニングリールのロータに装着されるフロントカバーのカバー部材のうち、図１０（Ａ）中のＸＩＩ−ＸＩＩ線に沿う断面図。
【発明を実施するための形態】
【００１１】
以下、図面を参照しながらこの発明を実施するための形態について説明する。
【００１２】
第１の実施の形態について図１から図６を用いて説明する。  
図１に示すように、魚釣用スピニングリール１０は、例えば金属材で剛性構造に形成されたリール本体１２と、リール本体１２の前方に回転可能に配設されたロータ１４と、ロータ１４の前方にロータ１４の回転運動と同期して前後動可能に配設されたスプール１６とを有している。このリール本体１２は、脚部１２ａの端部に形成された竿取付部１２ｂを介して図示しない釣竿に取り付けられる。
【００１３】
リール本体１２内には、ハンドル軸２２が回転可能に支持されており、その突出端部には、巻き取り操作されるハンドル２４が取り付けられている。ハンドル軸２２には、ロータ１４を巻き取り駆動するための巻き取り駆動機構が係合されている。巻き取り駆動機構は、ハンドル軸２２に取り付けられ内歯が形成されたドライブギヤ３２と、このドライブギヤ３２に噛合する筒状のピニオンギヤ（駆動軸筒）３４とを備えている。ピニオンギヤ３４は、軸筒（空洞部）３４ａをハンドル軸２２に対して直交する方向（リール本体１２の前側）に延出した状態に有し、リール本体１２に軸受３６ａ，３６ｂを介して回転可能に支持されている。そして、このピニオンギヤ３４の遠位端部の雄ネジ部３４ｂには、後述するカラー１１４及び軸受１１６を内周面の一部に有するナット（締結部材）１１０によりロータ１４が取り付けられている（図２及び図４参照）。
【００１４】
ハンドル軸２２と直交する方向にはスプール軸（メインシャフト）４２が、軸筒３４ａを有するピニオンギヤ３４を貫通している。この場合、スプール軸４２は、ピニオンギヤ３４と同心的に配設され、後述するオシレーティング機構（往復動機構）により、ハンドル軸２２と直交する方向に沿って前後動できる。また、スプール軸４２の遠位端部には釣糸が巻回されるスプール１６が取り付けられている。
【００１５】
リール本体１２は、スプール軸４２を軸方向に沿って往復駆動（前後動）させ、スプール１６をハンドル軸２２と直交する方向に前後動させるオシレーティング機構（往復動機構）を有する。  
オシレーティング機構は、いわゆるギヤ方式のものであり、ハンドル軸２２の外周に固定された歯車５２と、この歯車５２に噛み合ってこれと連動回転する連動歯車５４と、連動歯車５４に突設され且つ連動歯車５４の回転中心軸から偏心して位置する係合突起（係合部）５６と、スプール軸４２の後端部にビス５８を介して取り付けられ且つ係合突起５６と係合するカム溝６０ａを有する摺動子（摺動体）６０と、摺動子６０と係合して摺動子６０の往復動を案内するガイドレール６２とを備えている。
【００１６】
このようなオシレーティング機構は、ハンドル軸２２がハンドル２４の回転操作によって回転されると、ハンドル軸２２上の歯車５２と噛み合う連動歯車５４が回転し、それに伴って、連動歯車５４の係合突起５６が回転するとともに、係合突起５６と係合するカム溝６０ａの案内によって摺動子６０が前後に往復動する。したがって、摺動子６０に取り付けられたスプール軸４２が軸方向に沿って往復駆動（前後動）する。
【００１７】
以上の構成によれば、ハンドル２４を回転操作してハンドル軸２２を回転させると、オシレーティング機構を介してスプール軸４２の遠位端部に取り付けられたスプール１６が前後に往復動するとともに、ドライブギヤ３２及びピニオンギヤ３４を介してロータ１４が回転駆動する。したがって、スプール１６の後述する胴部９２には、ロータ１４の後述する釣糸案内部８０を介して釣糸が均等に巻回される。
【００１８】
図１及び図２に示すように、ロータ１４は、中心に軸筒３４ａ及びスプール軸４２が配設される貫通孔７２ａを有する円板部７２と、円板部７２から後方に延出された円筒部７４と、円筒部７４から外方前側に延出された１対のアーム７６ａ，７６ｂと、１対のアーム７６ａ，７６ｂ間に配設され釣糸放出状態にある釣糸をピックアップするベール７８と、１対のアーム７６ａ，７６ｂのうちの一方のアーム７６ａに配設された釣糸案内部８０とを有する。ベール７８は釣糸巻取位置と釣糸放出位置との間で回動自在（反転自在）に支持されている。  
なお、ロータ１４のうち、円板部７２、円筒部７４及び１対のアーム７６ａ，７６ｂは、例えばカーボン繊維強化プラスチック（例えば比重１．５）等により一体に形成されている。そして、一方のアーム７６ａには、スプール１６の後述する窓部９８を通してスプール１６の内部を視認するための開口７７が形成されている。
【００１９】
図３（Ａ）に示すように、ロータ１４の円板部７２及び円筒部７４で形成される空間の内側には、ロータ１４の逆回転（釣糸繰り出し方向の回転）を防止する周知の一方向クラッチ８２を備えている。一方向クラッチ８２は、ピニオンギヤ３４の軸筒３４ａに対して回り止め嵌合された内輪８４と、内輪８４の外側に配され且つ複数の転動部材Ｒを保持する保持器８６と、保持器８６の外側に配された外輪８８とを有する。そして、一方向クラッチ８２はシール機構９０により内部を防水することができる。
【００２０】
図１に示すように、スプール１６は、釣糸が巻回される胴部９２と、スカート部９４とを有し、スプール軸４２の遠位端部にドラグノブ９６を介して取り付けられている。スカート部９４はロータ１４の円板部７２及び円筒部７４の前側を覆うことが可能である。スカート部９４は、スプール１６の内部（例えばロータ１４の円板部７２及び円筒部７４の縁部７３の近傍）を視認できるように窓部９８を有する。窓部９８は胴部９２に近接する前側に形成されていることが好ましい。このため、後述するカバー部材１３２の突出部（糸落ち防止部）１５２に釣糸が引っ掛かっているか否か容易に確認できる。なお、窓部９８は開口として形成されていても良いし、スプール１６内に指等が入らないように透明な樹脂材等が配設されていても良い。また、窓部９８の形状は矩形状や円形状等、種々の形状が許容される。
【００２１】
図２に示すように、ロータ１４の円板部７２の前面にはピニオンギヤ３４の軸筒３４ａが配設される貫通孔７２ａに連続して形成された環状かつ略矩形状の凹部１０２が形成されていることが好ましい。凹部１０２が形成されている場合には例えばステンレス鋼材等で環状かつ略矩形状に形成されたロータ補強部材１１２が配設される。凹部１０２及びロータ補強部材１１２が略矩形状に形成されていることによって、ピニオンギヤ３４の軸筒３４ａがロータ１４の円板部７２に対して回り止めされる。そして、ロータ補強部材１１２はナット１１０とロータ１４の円板部７２との間に狭持される。
【００２２】
凹部１０２の外側であって、ロータ１４の円板部７２の前面には、円環状の凹部１０４が形成されていることが好ましい。凹部１０４は円板部７２の中心に対して同心状に形成され、この凹部１０４には、後述するＯリング（シール部材）１１８が配設される。そして、後述するカバー部材１３２の円環状面１６０でＯリング１１８が凹部１０４に押圧されることにより、ロータ１４の円板部７２の前面とカバー部材１３２との間を防水できる。
【００２３】
凹部１０４の外側であって、ロータ１４の円板部７２の前面には３つの凸部（ボス部）１０６ａ，１０６ｂ，１０６ｃが円板部７２の前面に対して突出した状態に形成されている。各凸部１０６ａ，１０６ｂ，１０６ｃはロータ１４の円板部７２の中心に対して互いに等距離等角度だけ離れた位置に中心を有する。そして、各凸部１０６ａ，１０６ｂ，１０６ｃはそれぞれ同じ外径を有する略円柱状に形成されている。各凸部１０６ａ，１０６ｂ，１０６ｃの中心には後述する雄ネジ１２２ａ，１２２ｂ，１２２ｃがそれぞれ螺合される雌ネジ１０８ａ，１０８ｂ，１０８ｃが形成されている。  
なお、この実施形態ではロータ１４の円板部７２の前面に３つの凸部（ボス部）１０６ａ，１０６ｂ，１０６ｃを有するものとして説明するが、ロータ１４の円板部７２の前面に３つの凹部を形成し、後述するカバー部材１３２の円形孔１５４に凹部に嵌合する凸部を形成して両者を嵌合させることも好ましい。
【００２４】
そして、図３（Ａ）及び図３（Ｂ）に示すように、ロータ１４の円板部７２の前面の略矩形状の凹部１０２にロータ補強部材１１２を配置した状態で、ロータ１４の円板部７２がピニオンギヤ３４の軸筒３４ａの遠位端部で螺合される六角ナット（締結部材）１１０と一方向クラッチ８２の内輪８４との間に挟持固定されている。この場合、ナット１１０の内周面には雌ネジ１１０ａが形成されており、この雌ネジ１１０ａをピニオンギヤ３４の軸筒３４ａの遠位端部の外周面に形成された雄ネジ３４ｂに螺合させることより、ナット１１０がピニオンギヤ３４の軸筒３４ａに締結される。  
なお、図４に示すように、六角ナット１１０は、その後端側の内周面に雌ネジ１１０ａが形成され、先端側の内周面にスプール軸４２を軸方向移動及び回転可能に挿通させるように、カラー１１４及び軸受１１６が配設されている。
【００２５】
図２、図３及び図５（Ａ）に示すように、ロータ１４の円板部７２の前面側には、フロントカバー１２０が雄ネジ（固定部材）１２２ａ，１２２ｂ，１２２ｃにより着脱可能に固定されている。  
フロントカバー１２０は、カバー部材１３２と、ゴムパッキン（シール材）１３４とを着脱可能又は一体的に有する。カバー部材１３２はメッキ処理されたＡＢＳ樹脂材（比重１．０５）等、ロータ１４よりも比重が小さい材料が用いられる。カバー部材１３２をメッキ処理するのは後述する突出部（糸落ち防止部）１５２等に釣糸が引っ掛かったときにその部分をできるだけ明るくして、釣糸の状態を見易くするためである。
【００２６】
図５（Ａ）から図５（Ｃ）に示すカバー部材１３２は、スプール軸４２を貫通するための貫通孔１３２ａが中心に形成された略円盤状に形成されている。貫通孔１３２ａの周囲には、スプール軸４２の外周を囲うようにゴムパッキン１３４が例えば接着等により一体化され、又は、取り外し可能に装着されている。
【００２７】
カバー部材１３２は、その中心側から外側に向かって、ロータ１４の円板部７２との間にナット１１０を収容するようにロータ１４の円板部７２の前面に対して突出した第１ボス部１４２と、第１ボス部１４２の外側に形成され第１ボス部１４２よりも突出量が低く抑えられた第２ボス部１４４と、第２ボス部１４４から径方向外方に放射状に延出された６つの延出部１４６と、隣接する延出部１４６の間に形成された６つの底面部１４８とを有する。  
第１ボス部１４２はカバー部材１３２の中心を含む貫通孔１３２ａを有するので、ピニオンギヤ３４の軸筒３４ａのハブとして形成されている。
【００２８】
６つの延出部１４６および６つの底面部１４８は、それらの最外周に、リング状の円環状部１５０と、円環状部１５０から径方向外方に突出した突出部（糸落ち防止部）１５２とを有する。なお、突出部（糸落ち防止部）１５２は円環状（円環状部１５０の外側全周）に形成されていることが補強効果が高いので好適であるが、延出部１４６の外側だけに形成され、又は、底面部１４８の外側だけに形成されていても良い。また、突出部１５２は適宜の間隔に形成されていることも好適である。  
また、突出部１５２は図５（Ｃ）に示すようにロータ１４の円板部７２の前面よりも前側の位置にあるが、同一面上又は後側にあっても良い。
【００２９】
なお、６つの延出部１４６及び各延出部１４６に隣接する６つの底面部１４８はともにカバー部材１３２の中心に対して略対称の位置に形成されていることが好ましい。  
このうち、延出部１４６は、図６に示すように、ロータ１４の円板部７２の略径方向に延出され、かつ、リール本体１２の前後方向に肉厚を有する１対のリブ１４６ａと、リブ１４６ａ間を連結し円板部７２の前面から離隔した離隔面１４６ｂとを有する。  
したがって、延出部１４６のリブ１４６ａにより、カバー部材１３２の断面二次モーメントを大きくすることができる。すなわち、延出部１４６の延出方向の一点を支持して延出部を撓ませようとしたときに、剛性、強度を高めているので、形状を維持することができる。また、延出部１４６の離隔面１４６ｂにより延出部１４６を略ドーム状に形成しているので、リブ１４６ａによる補強効果を向上させることができる。  
そして、図５（Ｂ）及び図６に示す延出部１４６には、ロータ１４の円板部７２の前面との間に空間を形成する中空部１６２が形成されている。中空部１６２は、２つの延出部１４６のそれぞれ１対のリブ１４６ａと、２つの円形孔１５４の縁部と、第２ボス部１４４の底面部１４８側の縁部１４４ａと、後述する円環状面１６０の一部とにより囲まれる空間である。そして、この実施形態では３つの中空部１６２が形成されている。  
したがって、延出部１４６のリブ１４６ａでカバー部材１３２の剛性、強度を維持しつつ、中空部１６２を形成することによりカバー部材１３２を軽量化することができる。  
また、ロータ１４の円板部７２の薄肉化を図り、ロータ１４とフロントカバー１２０とを合わせたロータ全体の可及的な軽量化も可能となる。
【００３０】
第２ボス部１４４には、ロータ１４の円板部７２の前面に突出した円柱状の凸部１０６ａ，１０６ｂ，１０６ｃがそれぞれ配設される３つの貫通したネジ受部である円形孔（固定部）１５４が、隣接する延出部１４６の間に形成されている。円形孔１５４はカバー部材１３２の中心に対して互いに等距離等角度だけ離れた位置に中心を有する。すなわち、円形孔１５４はスプール軸４２の中心軸に対して略対称の位置にある。そして、円形孔１５４の内径の大きさは凸部１０６ａ，１０６ｂ，１０６ｃの外径よりも僅かに大きい。このため、カバー部材１３２の円形孔１５４を凸部１０６ａ，１０６ｂ，１０６ｃに合わせて嵌合したとき、延出部１４６のリブ１４６ａ及び底面部１４８がロータ１４の円板部７２に対向して当接される。
【００３１】
このように、カバー部材１３２の円形孔１５４がロータ１４の円板部７２の円柱状の凸部１０６ａ，１０６ｂ，１０６ｃに嵌合されるので、ロータ１４に対してカバー部材１３２は回転しない。したがって、雄ネジ（固定部材）１２２ａ，１２２ｂ，１２２ｃを円柱状の凸部１０６ａ，１０６ｂ，１０６ｃの雌ネジ部１０８ａ，１０８ｂ，１０８ｃに対して締めなくても、カバー部材１３２はロータ１４に対して回転しない。このため、カバー部材１３２をロータ１４の円板部７２に固定する雄ネジ１２２ａ，１２２ｂ，１２２ｃには大きな負荷がかからず、小さいネジや軽比重のネジを使用できる。
【００３２】
なお、ロータ１４の円板部７２の円柱状の凸部１０６ａ，１０６ｂ，１０６ｃやフロントカバー１２０のカバー部材１３２の円形孔１５４は、スプール軸４２の中心に対して略対称の位置（略等距離等角度離れた位置）に３つ以上あると、フロントカバー１２０をロータ１４の円板部７２に配設した状態でロータ１４を回転させたときのロータ１４の回転バランスをより良好にすることができる。すなわち、スプール軸４２の中心に正三角形、正方形、正五角形等の重心が一致し、かつ、正三角形、正方形、正五角形等の略頂点の位置に、ロータ１４の円板部７２の円柱状の凸部１０６ａ，１０６ｂ，１０６ｃ，…やフロントカバー１２０のカバー部材１３２の円形孔１５４があることが好ましい。  
ただし、円板部７２の凸部１０６ａ，１０６ｂ，１０６ｃ，…及びカバー部材１３２の円形孔１５４が互いに嵌合でき、かつ、重量バランスや回転バランスが良好な状態を維持できれば、スプール軸４２の中心に正三角形、正方形、正五角形等の重心が一致したときに正三角形、正方形、正五角形等の略頂点の位置にロータ１４の円板部７２の凸部１０６ａ，１０６ｂ，１０６ｃ，…やフロントカバー１２０のカバー部材１３２の円形孔１５４が配置される必要はなく、多少のズレが許容される。  
また、図２及び図５（Ａ）中、ネジ１２２ａ，１２２ｂ，１２２ｃは六角穴付きボルトを用いる例について示しているが、それ以外のネジを用いても良いことはもちろんである。
【００３３】
カバー部材１３２の裏面側の最外周位置、すなわち、６つの延出部１４６及び６つの底面部１４８の遠位位置には、円環状縁部１５６が形成されている。この円環状縁部１５６は、ロータ１４の円板部７２と円筒部７４とにより形成される縁部７３を覆うように形成されている。この実施形態では、円環状縁部１５６は縁部７３の全周を覆っている。
【００３４】
ここで、図５（Ａ）に示す第１ボス部１４２の裏面側は、図５（Ｂ）及び図５（Ｃ）に示すように、六角ナット１１０に着脱可能に嵌合する嵌合部（規制部）１５８が形成されている。嵌合部１５８は六角ナット１１０が嵌合され、周方向の移動が規制されるように、六角ナット１１０の角に合わせて周方向に凹凸が形成されている。ここでは、スプール軸４２の中心に対して３０度おき１２箇所の位置のうちの６つを使って六角ナット１１０の角を回り止めした状態に保持するように形成されているが、例えば２０度おき１８箇所の位置のうちの６つを使って六角ナット１１０の角を保持するようにしても良い。  
そして、カバー部材１３２の円形孔１５４に対してロータ１４の円板部７２の凸部１０６ａ，１０６ｂ，１０６ｃを嵌合するので、カバー部材１３２は周方向に移動しない。このため、周方向に移動しないカバー部材１３２によって六角ナット１１０を回り止め嵌合（ナット１１０の回転を規制）して、六角ナット１１０の緩みを防止することができる。
【００３５】
嵌合部１５８の外周には、円環状の凹部１０４に対向し、エラストマー材からなるＯリング１１８をその凹部１０４に向かって押圧する円環状面１６０が形成されている。なお、円環状面１６０の径方向幅はＯリング１１８及び凹部１０４よりも広く形成されている。このため、ロータ１４の円板部７２の前面からナット１１０やスプール軸４２に向かって水が浸入するのを防止できる。また、Ｏリング１１８はロータ１４の円板部７２及びカバー部材１３２の振動抑制効果も有し、その振動抑制効果は巻き取りフィーリングの向上やネジ１２２ａ，１２２ｂ，１２２ｃの緩みの防止に貢献する。  
そして、カバー部材１３２の円形孔１５４に対してロータ１４の円板部７２の凸部１０６ａ，１０６ｂ，１０６ｃを嵌合した状態で凸部１０６ａ，１０６ｂ，１０６ｃの雌ネジ部１０８ａ，１０８ｂ，１０８ｃに雄ネジ１２２ａ，１２２ｂ，１２２ｃを固定したとき、ゴムパッキン１３４はスプール軸４２の外周に当接している。また、ナット１１０の頭部でゴムパッキン１３４をカバー部材１３２の第１ボス部１４２の裏面に押圧している。このため、スプール軸４２にゴムパッキン１３４が当接された位置から後側に水が浸入するのを防止できる。  
したがって、ゴムパッキン１３４及びＯリング１１８によりロータ１４の円板部７２の前面とゴムパッキン１３４との間を防水できる。すなわち、ナット１１０の内周面に配設されたカラー１１４や軸受１１６に水が浸入するのを防止できる。
【００３６】
以上説明したように、本実施形態では、ロータ１４よりも低比重のカバー部材１３２を有するフロントカバー１２０を用いることによって、ロータ１４の重量バランス、強度バランスを取りつつ、釣糸がロータ１４とスプール１６との間から入り込んでスプール軸４２に絡みつくのを防止でき、スプール軸４２とロータ１４との間、ロータ１４とカバー部材１３２との間の防水を図ることができる。そして、釣糸がロータ１４とスプール１６との間に入り込んだ場合であっても、ロータ１４の一方のアーム７６ａの開口７７と、スプール１６の窓部９８とを通してカバー部材１３２の突出部１５２の近傍を視認できるので、釣糸を取り出し易くできる。  
また、ロータ１４の円板部７２の凸部１０６ａ，１０６ｂ，１０６ｃにカバー部材１３２の円形孔１５４を嵌合することでナット１１０の緩みを防止することができ、ネジ１２２ａ，１２２ｂ，１２２ｃを凸部１０６ａ，１０６ｂ，１０６ｃの雌ネジ部１０８ａ，１０８ｂ，１０８ｃに螺合するだけでロータ１４にカバー部材１３２を固定できるので、少ない部品で多種の機能を発揮でき、組立性も良好である。また、ロータ１４の円板部７２の凸部１０６ａ，１０６ｂ，１０６ｃとカバー部材１３２の円形孔１５４とはスプール軸４２の中心に対して互いに等距離等角度だけ離れた位置（スプール軸４２に対して略対称の位置）にあるので、ロータ１４の重量バランス、強度バランスだけでなく、回転バランスも良好な状態にすることができる。  
また、ロータ１４の前側に低比重、高強度のカバー部材１３２を配置することで、カバー部材１３２による補強効果によりロータ１４全体としての軽量化、或いは高強度化を図ることができる。  
したがって、この実施形態によるロータ１４の円板部７２の前面にフロントカバー１２０を配置することにより、ナット１１０の緩み防止、防水、糸落ち防止の各機能を維持しつつ、部品点数の削減による組込性の向上やコストダウンを図った魚釣用リール１０を提供できる。
【００３７】
次に、第２実施形態について図７から図９を用いて説明する。この実施形態は第１実施形態の変形例である。  
この実施形態に係る図７（Ａ）から図７（Ｃ）に示すフロントカバー１２０のカバー部材１３２は、第１実施形態のカバー部材１３２の６つの底面部１４８を除去し、６つの貫通孔１７２を形成している。
【００３８】
このため、図８及び図９に示すように、この実施形態に係るカバー部材１３２のうち、ロータ１４の円板部７２の前面に当接するのは円環状部１５０の円環状縁部１５６、円環状面１６０及び延出部１４６のリブ１４６ａ、第２ボス部１４４の縁部１４４ａである。  
カバー部材１３２をこのように形成することにより、第１実施形態で説明したカバー部材１３２より更に軽量化を図ることができる。  
なお、図示しないが、ロータ１４の円板部７２に貫通孔を形成しても良く、ロータ１４全体としては同様の効果が得られる。
【００３９】
次に、第３実施形態について図１０から図１２を用いて説明する。この実施形態は第１および第２実施形態の変形例である。  
この実施形態に係る図１０（Ａ）から図１０（Ｃ）に示すフロントカバー１２０のカバー部材１３２は、第１実施形態の底面部１４８だけでなく、第２実施形態のカバー部材１３２の円環状部１５０を除去し、延出部１４６の遠位端部に円弧状部１８２を形成している。この円弧状部１８２には、径方向外方に突出した突出部（糸落ち防止部）１８４が形成されている。また、この円弧状部１８２には、ロータ１４の円板部７２及び円筒部７４の縁部７３に引っ掛けられる円弧状縁部１８６を形成している。
【００４０】
このため、図１１及び図１２に示すように、この実施形態に係るカバー部材１３２のうち、ロータ１４の円板部７２の前面に当接するのは円弧状部１８２の円弧状縁部１８６、円環状面１６０及び延出部１４６のリブ１４６ａ、第２ボス部１４４の縁部１４４ａである。
【００４１】
カバー部材１３２をこのように形成することにより、第１及び第２実施形態で説明したカバー部材１３２より更に軽量化を図ることができる。
【００４２】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００４３】
１０…魚釣用スピニングリール、１２…リール本体、１４…ロータ、１６…スプール、２２…ハンドル軸、２４…ハンドル、３２…ドライブギヤ、３４…ピニオンギヤ、３４ａ…駆動軸筒、３４ｂ…雄ネジ部、３６ａ，３６ｂ…軸受、４２…スプール軸、７２ａ…貫通孔、７２…円板部、７３…縁部、７４…円筒部、７６ａ，７６ｂ…アーム、７７…開口、９４…スカート部、９８…窓部、１０２…凹部、１０４…凹部、１０６ａ，１０６ｂ，１０６ｃ…凸部、１０８ａ，１０８ｂ，１０８ｃ…雌ネジ部、１１０…六角ナット、１１０ａ…雌ネジ、１１２…ロータ補強部材、１１４…カラー、１１６…軸受、１１８…Ｏリング、１２０フロントカバー、１２２ａ，１２２ｂ，１２２ｃ…雄ネジ、１３２…カバー部材、１３２ａ…貫通孔、１３４…ゴムパッキン、１４２…ボス部、１４４…ボス部、１４４ａ…縁部、１４６…延出部、１４６ａ…リブ、１４６ｂ…離隔面、１４８…底面部、１５０…円環状部、１５２…突出部、１５４…円形孔、１５６…円環状縁部、１５８…嵌合部、１６０…円環状面、１６２…中空部。
【図１】
0005401411.tif 000002
【図２】
0005401411.tif 000003
【図３】
0005401411.tif 000004
【図４】
0005401411.tif 000005
【図５】
0005401411.tif 000006
【図６】
0005401411.tif 000007
【図７】
0005401411.tif 000008
【図８】
0005401411.tif 000009
【図９】
0005401411.tif 000010
【図１０】
0005401411.tif 000011
【図１１】
0005401411.tif 000012
【図１２】
0005401411.tif 000013